(57)【要約】      （修正有）【課題】電線を避けてハウジングの後方からレバーの組付動作を案内可能なレバー式コネクタを提供する。【解決手段】レバーは門形をなし、一対のアーム板４１が操作部４２によって連結され、アーム板の対向面に突条片４４が設けられた構成とされ、ハウジング１０は、相手側コネクタと嵌合可能な嵌合部と、嵌合部の後方に設けられたレバーガイド部７０と、を備え、レバーガイド部は、電線の引き出し方向と直交する方向に延びる形態をなし一端側から他端側に向けて突条片を案内し他端側に至るとレバーが嵌合位置に組み付けられる前後一対のレール２２Ａ，２２Ｂと、後側のレールの一端側に開口して設けられハウジングの後方から一対のレール間に突条片を導入させる導入部２６と、後側のレールの他端側に開口して設けられレバーを嵌合位置から嵌合初期位置へ回動させることに伴って一対のレール間からハウジンングの後方へ突条片を回動させる逃がし部と、を備える。【選択図】図１６
2019021497.tif 000002
【特許請求の範囲】
【請求項１】
ハウジングと、前記ハウジングに回動可能に装着され、嵌合初期位置と嵌合位置の間を回動可能とされたレバーと、前記ハウジングから後方に引き出された複数の電線と、を備え、前記レバーを前記嵌合初期位置から前記嵌合位置へ回動させることで相手方コネクタと嵌合可能なレバー式コネクタであって、
前記レバーは全体として門形をなし、一対のアーム板が操作部によって連結され、前記アーム板の対向面に突条片が設けられた構成とされ、
前記ハウジングは、前記相手側コネクタと嵌合可能な嵌合部と、前記嵌合部の後方に設けられたレバーガイド部と、を備え、
前記レバーガイド部は、
前記電線の引き出し方向と直交する方向に延びる形態をなし一端側から他端側に向けて前記突条片を案内し前記他端側に至ると前記レバーが前記嵌合位置に組み付けられる前後一対のレールと、
後側の前記レールの一端側に開口して設けられ前記ハウジングの後方から前記一対のレール間に前記突条片を導入させる導入部と、
後側の前記レールの他端側に開口して設けられ前記レバーを前記嵌合位置から前記嵌合初期位置へ回動させることに伴って前記ハウジンングの後方へ前記突条片を回動させる逃がし部と、を備えたレバー式コネクタ。
【請求項２】
前記アーム板の対向面には、前記レバーを前記嵌合初期位置に保持させるロック部が設けられており、前記ロック部は、撓み可能な撓み片と、前記撓み片の先端に設けられたロック爪と、を備えており、
前記突条片を前記ハウジングの後方から前記導入部を通って前記一対のレール間に導入させることに伴って、前記ロック爪が前記ハウジングの後方から前記逃がし部を通って前方へ移動する請求項１に記載のレバー式コネクタ。
【請求項３】
前後一対のレールのうち前側レールの他端部には、前記ロック爪を通過させる挿通部が設けられており、
前記ハウジングの後方から前記逃がし部を通って前方へ移動した前記ロック爪は、前記挿通部を通過してさらに前方へ移動する請求項２に記載のレバー式コネクタ。
【発明の詳細な説明】
【技術分野】
【０００１】
本明細書に開示された技術は、レバー式コネクタに関する。
【背景技術】
【０００２】
従来、相手方コネクタと嵌合するためのレバーを備えるコネクタとして、例えば特許文献１のものが知られている。このレバー式コネクタは、ハウジングと、レバーと、端子金具と、を備えて構成されている。ハウジングにはレバー収容凹部が設けられており、レバー収容凹部の内面には、レバーの回動支点を構成する円柱状の支軸が突設されている。また、レバー収容凹部におけるレバーの入口部分は組付通路とされ、この組付通路は前後一対のカム面の間に形成されている。
【０００３】
一方、レバーは全体として一枚板状をなし、一端に設けられた操作部と、操作部から他端にかけて細長く延びる作用部とからなる。作用部の両面には、組付通路に嵌合状態で挿入されることによって各端子金具と干渉可能な一対の干渉部が設けられている。干渉部は幅方向に延びるリブ状をなし、幅方向の他端から一端へ向けて直線状に長く延びる干渉本体と、干渉本体の一端から斜め方向に延びてカム面と摺動可能なカム受部とからなる。
【０００４】
レバーの組付動作について簡単に説明すると、ハウジングの一側面からレバー収容凹部内に、操作部を押圧しながらレバーを挿入する。このようにすると、干渉部の干渉本体が組付通路に沿って移動することで、レバーの組付動作の案内が円滑になされる。さらに、ハウジングの後面から後方に複数の電線が引き出されている場合でも、複数の電線とレバーを干渉させることなくレバーをハウジングに組み付けることが可能になる。
【先行技術文献】
【特許文献】
【０００５】
【特許文献１】特開２０１０−１４０８６７号公報
【発明の概要】
【発明が解決しようとする課題】
【０００６】
しかしながら、上記のレバー式コネクタでは、レバーをハウジングに組み付ける際に、レバーをハウジングの側方に配置する必要があり、しかもレバーが横長形状とされていることから、ハウジングの側方に十分なスペースを確保できない場合にはレバーの組付動作が困難になる。
【課題を解決するための手段】
【０００７】
本明細書に開示された技術に係るレバー式コネクタは、ハウジングと、前記ハウジングに回動可能に装着され、嵌合初期位置と嵌合位置の間を回動可能とされたレバーと、前記ハウジングから後方に引き出された複数の電線と、を備え、前記レバーを前記嵌合初期位置から前記嵌合位置へ回動させることで相手方コネクタと嵌合可能なレバー式コネクタであって、前記レバーは全体として門形をなし、一対のアーム板が操作部によって連結され、前記アーム板の対向面に突条片が設けられた構成とされ、前記ハウジングは、前記相手側コネクタと嵌合可能な嵌合部と、前記嵌合部の後方に設けられたレバーガイド部と、を備え、前記レバーガイド部は、前記電線の引き出し方向と直交する方向に延びる形態をなし一端側から他端側に向けて前記突条片を案内し前記他端側に至ると前記レバーが前記嵌合位置に組み付けられる前後一対のレールと、後側の前記レールの一端側に開口して設けられ前記ハウジングの後方から前記一対のレール間に前記突条片を導入させる導入部と、後側の前記レールの他端側に開口して設けられ前記レバーを嵌合位置から前記嵌合初期位置へ回動させることに伴って前記ハウジンングの後方へ前記突条片を回動させる逃がし部と、を備える。
【０００８】
このような構成によると、レバーが門形をなしているから、複数の電線を回り込むようにしてレバーをハウジングの後方に配置しておき、レバーをハウジングに向けて前方へ移動させると、突条片が導入部を通って前側のレールに突き当たることで前方への移動が停止する。次に、突条片を前側のレールに沿って側方へ（レールの一端側から他端側に向けて）移動させることによりレバーを嵌合位置に組み付けることができる。この後、レバーを嵌合位置から初期位置へ回動させると、突条片が逃がし部を通ってハウジングの後方へ回動することになる。
【０００９】
したがって、ハウジングの側方にレバーを配置するためのスペースを十分に確保できない場合でも、電線を避けつつハウジングの後方からレバーの組付動作を案内することができる。
【００１０】
前記アーム板の対向面には、前記レバーを前記嵌合初期位置に保持させるロック部が設けられており、前記ロック部は、撓み可能な撓み片と、前記撓み片の先端に設けられたロック爪と、を備えており、前記突条片を前記ハウジングの後方から前記導入部を通って前記一対のレール間に導入させることに伴って、前記ロック爪が前記ハウジングの後方から前記逃がし部を通って前方へ移動する構成としてもよい。
【００１１】
このような構成によると、ハウジングの後方からレバーを組み付ける際に、ロック爪が後側のレールに干渉することなく、逃がし部を通過することになる。したがって、ロック爪が変形したり削られたりすることを回避できる。
【００１２】
前記前側レールの他端部には、前記ロック爪を通過させる挿通部が設けられており、前記ハウジングの後方から前記逃がし部を通って前方へ移動した前記ロック爪は、前記挿通部を通過してさらに前方へ移動する構成としてもよい。
【００１３】
このような構成によると、ロック爪が逃がし部を通過した後、前側のレールに干渉することなく、挿通部を通過することになる。したがって、ロック爪が変形したり削られたりすることをさらに回避できる。
【発明の効果】
【００１４】
本明細書に開示された技術によれば、電線を避けつつもハウジングの後方からレバーの組付動作を案内可能なレバー式コネクタを提供することができる。
【図面の簡単な説明】
【００１５】
【図１】実施形態に係るレバー付きコネクタを示す図
【図２】レバーがコネクタに対して組付前の位置に配された状態を示す図
【図３】レバーの正面図
【図４】レバーの対向面を示す図（図３のＡ−Ａ断面図）
【図５】レバーの側面図
【図６】レバーの一外面図
【図７】レバーが組付初期位置に配置された状態を示す図
【図８】レバーが乗り上げ初期位置に配置された状態を示す図
【図９】レバーが側方案内路を通過している状態を示す図
【図１０】レバーが乗り上げている状態を示す断面図
【図１１】レバーが組付完了位置に配置された状態を示す図
【図１２】レバーが組付完了位置に配置された状態を示す断面図
【図１３】図１３の背面図
【図１４】図１４のＢ−Ｂ断面図
【図１５】レバーが嵌合初期位置に配置された状態を示す図
【図１６】レバーが嵌合初期位置に配置された状態を示す図
【図１７】レバーが嵌合初期位置に配置された状態を示す図
【図１８】図１５のＣ−Ｃ断面図
【図１９】図１５のＤ−Ｄ断面図
【図２０】レバーが回動規制された状態を示す図
【図２１】図２０のＥ−Ｅ断面図
【図２２】ロック部の変形例を示す図
【図２３】ハウジングの変形例を示す図
【発明を実施するための形態】
【００１６】
＜実施形態＞
本明細書に開示された技術に係る一実施形態を、図１から図２１によって説明する。本実施形態におけるレバー式コネクタ１は、図１に示すように、ハウジング１０と、レバー４０と、を備えて構成されている。レバー４０はハウジング１０に対して回動可能に装着されており、このレバー４０を回動方向Ｒ１に回動操作することによってハウジング１０が図示しない相手方コネクタに対して嵌合および離脱可能とされている。以下においては、ハウジング１０の相手方コネクタに対する嵌合側を前側として説明する。また、複数の同一部材については、一の部材に符号を付し、他の部材については符号を省略することがある。
【００１７】
ハウジング１０は合成樹脂製であって、全体としてやや扁平な略直方体形状をなしている。ハウジング１０の内部には、図１４に示すように、前後方向に貫通する形態をなすキャビティ１１が形成されている。キャビティ１１の内部には、図８に示すように、雌端子ＦＴが収容され、ハウジング１０と相手方コネクタの嵌合に伴って相手方コネクタに収容された図示しない雄端子に嵌合して接続されるようになっている。キャビティ１１の背面側の開口からは、雌端子ＦＴに接続された図示しない電線が延出している。
【００１８】
図２に示すように、ハウジング１０の前側は相手方コネクタに嵌入するコネクタ嵌合部１３とされ、後ろ側はレバー４０が装着されるレバー装着部２０となっている。
【００１９】
レバー装着部２０は、互いに平行な一対の外側面１２、１２を備えている。各外側面１２には、レバー４０を回動可能に支持するための支持軸２１と、レバー４０を支持軸２１に案内するためのガイド部２２と、閉鎖突部２３と、レバー４０を内側から支える面状突部２４と、が突設されている。一方の外側面１２に設けられたこれらの部材と、他方の外側面１２に設けられたこれらの部材とは、各々ハウジング１０の前後方向および左右方向において実質的に対応する位置に設けられている。
【００２０】
支持軸２１は、円柱形状をなして外側面１２から突出している。支持軸２１の突出端のうち左右方向における中央部分は、図２における左方に傾斜する傾斜面２１Ａとされている。傾斜面２１Ａよりも左側および右側の各部分はそれぞれ、外側面１２に対して平行な第一平坦面２１Ｂおよび第二平坦面２１Ｃとなっている。支持軸２１の右端部には、レバー４０の支持軸２１からの抜け落ちを防止する保持突部２５が張り出し形成されている。保持突部２５の突出端は、第二平坦面２１Ｃと同平面をなす平坦面となっている。
【００２１】
ガイド部２２（前後一対のレールの一例）は、レバー装着部２０の左端と支持軸２１との間に設けられている。ガイド部２２は、レバー装着部２０の前端に沿って配される前側レール２２Ａと、前側レール２２Ａの後側に配される後側レール２２Ｂと、を備えている。後側レール２２Ｂは前側レール２２Ａよりも短寸となっている。後側レール２２Ｂと前側レール２２Ａは互いに平行に配されている。後側レール２２Ｂの右端と前側レール２２Ａの右端とは左右方向において同じ位置とされている。前側レール２２Ａと後側レール２２Ｂの間は、後述するアーム板４１の突条片４４が側方に変位するための側方案内路２７となっている。後側レール２２Ｂの右端側は開口されて、後側レール２２Ｂの右端と支持軸２１との間に間隙が形成されている。この間隙は、アーム板４１の突条片４４を後方に逃がすための逃がし部２８となっている。また、後側レール２２Ｂの右端側は開口されて、後側レール２２Ｂの右端と支持軸２１との間に間隙が形成されている。この間隙は、アーム板４１の突条片４４を後方に逃がすための挿通部２９となっている。
【００２２】
閉鎖突部２３はレバー装着部２０の左端において、ガイド部２２と並んで設けられている。閉鎖突部２３の右端は直線形状をなしている。なお、後側レール２２Ｂの左端側は開口されて、後側レール２２Ｂの左端と閉鎖突部２３との間に間隙が形成されている。この間隙は、アーム板４１の突条片４４が進入するための導入部２６となっている。閉鎖突部２３の略中央は、前側レール２２Ａと連続している。すなわち、導入部２６は左方および前方を閉鎖突部２３および前側レール２２Ａによって閉鎖されている。
【００２３】
面状突部２４は、支持軸２１の右方に配されている。面状突部２４は、レバー装着部２０の後端からコネクタ嵌合部１３に張り出し、さらに支持軸２１の突出端の近傍に向かって大きく湾曲したＪ字形状をなしている。面状突部２４の突出端は、平坦面となっている。面状突部２４の湾曲内側面は、底面（外側面１２のうち湾曲内側面に囲まれた領域）に向かって裾広がりとなるテーパ形状をなし、ロック収容凹部３０の側壁となっている。
【００２４】
面状突部２４の湾曲外側面には、後述するレバー４０のロック爪５０Ｂが係止するためのロック受け部３１が形成されている。ロック受け部３１は、図１８に示すように、外側面１２に対して逆テーパをなす平坦面である。ロック受け部３１は、図２に示すように、支持軸２１の軸心Ｐ１を中心としてロック収容凹部３０の底面中央を通る回動軌跡Ｒ２と直交している。
【００２５】
レバー４０は、図２および図３に示すように、レバー装着部２０の両外側面１２に沿って配される一対のアーム板４１と、両アーム板４１同士を連結する操作部４２と、を備え、全体として略門形状に構成されている。
【００２６】
各アーム板４１の互いに対向する対向面４１Ａには、図４に示すように、軸孔４３と、突条片４４（被ガイド部の一例）と、傾斜受け面４５と、ロック部５０と、ロックカバー部５２と、が設けられている。
【００２７】
軸孔４３は、図４に示すように、アーム板４１を板厚方向に貫通して円形状に形成されている。軸孔４３のうち操作部４２から遠い側の開口縁には、支持軸２１の保持突部２５に対応する形状の装着溝４６が形成されている。
【００２８】
突条片４４は左右に延びる突条形状をなして、操作部４２と軸孔４３との間に設けられている。
【００２９】
傾斜受け面４５は、対向面４１Ａの図４における右端に形成された、右縁に向かって外方に寄る（すなわち、操作部４２に向かって傾斜する）テーパ面である。
【００３０】
図４において、軸孔４３の右方には、略Ｕ字形状のスリット４９が形成されている。スリット４９の図４における上端は、スリット４９の左右幅と直径を同じくする半円形状となっている。
【００３１】
ロック部５０は、スリット４９により他の部分から分離された舌片形状の部分である。ロック部５０は、図１４に示す上方を基端とする撓み片５０Ａと、撓み片５０Ａの自由端に設けられたロック爪５０Ｂと、を備えている。撓み片５０Ａは、レバー４０の回動方向Ｒ１と直交する方向に撓み変位可能とされている。ロック爪５０Ｂは、図１８に示すように、レバー４０の回動方向Ｒ１と直交する方向において、他方のアーム板４１に向かって逆テーパ形状に突出している。
【００３２】
なお、アーム板４１は、スリット４９を境として凹凸形状に形成されている。これにより、撓み片５０Ａは、図１９に示すように、撓み変位していない状態において全体がアーム板４１の外面よりも内方（図１９における下方）に位置するように形成されている。
【００３３】
ロックカバー部５２は、ロック部５０と隣接して設けられている。ロックカバー部５２は、スリット４９のうちロック部５０から見て操作部４２に近い縁部を一端として設けられ、アーム板４１の対向面４１Ａ側を凹ませ外面側を残した形状に形成されている。ロックカバー部５２は、ハウジング１０の外側面１２に対向する天井部５２Ａと、天井部５２Ａと直交し、かつロックカバー部５２の図４における左奥からロック部５０の基端に向かう方向に沿って配された側壁部５２Ｂと、を備えている。天井部５２Ａは、スリット４９の左縁からロックカバー部５２の左奥に向かって次第に厚肉となるテーパ形状に形成されている。
【００３４】
なお、アーム板４１には上述の構成の他、相手方コネクタのカムピンが嵌入するためのカム溝６０が形成されている。カム溝６０は、アーム板４１の右下角部から軸孔４３に近づくように延びて配され、他よりも薄肉とした凹形状に形成されている。
【００３５】
レバー４０をハウジング１０に組み付けるには、まず、ハウジング１０から後方に延出する電線を両アーム板４１、４１の間に配しつつ、図２に示すように、レバー４０を側方からハウジング１０の後方にアーム板４１の突条片４４をハウジング１０の導入部２６の後方に位置合わせした状態に配置する。そして、レバー４０全体を前方（図２において矢印Ｙが指し示す方向）に移動させる。すると、図７に示すように、突条片４４が導入部２６を通過し、前側レール２２Ａに突き当たってそれより前方への変位が規制され、側方案内路２７の左方に配置されるとともに、ロック部５０のロック爪５０Ｂが逃がし部２８および挿通部２９を通過して、挿通部２９よりも前方に配置され、左方への変位が規制された状態となる。これを組付初期位置という。
【００３６】
次に、レバー４０の操作部４２を、ハウジング１０に向かって（すなわち図７において矢印Ｘの指し示す方向に）押し込む。すると、突条片４４が右方に変位して側方案内路２７に進入し、前側レール２２Ａおよび後側レール２２Ｂによって案内されつつ側方案内路２７を右方に進む。すなわち、レバー４０は操作部４２と突条片４４の並び方向を電線の延出方向に対して直交する方向に配した状態で、電線の延出方向に対して直交する方向に案内される。
【００３７】
そして、図８および図９に示すように、傾斜受け面４５が支持軸２１の傾斜面２１Ａに到達し、互いに面接触した状態となる。これを乗り上げ初期位置という。すなわち、レバー４０はガイド部２２により組付初期位置から乗り上げ初期位置まで案内される。
【００３８】
そして、レバー４０は、乗り上げ初期位置から、慣性によりそのまま右方に変位し、支持軸２１に乗り上げを開始する。なおこのとき、支持軸２１に乗り上げる際の応力が大きく慣性だけでは支持軸２１に乗り上げられない場合には、さらに操作部４２を側方（図２において矢印Ｙが指し示す方向）に押しこんでやってもよい。すると、図１０に示すように、レバー４０は、支持軸２１に乗り上げて、アーム板４１の対向面４１Ａを支持軸２１に摺接させ右方に移動させながら次第に弾性変形し、突条片４４を次第に案内路２７から外方に退出させながら前後方向に開いていく。このとき、ロック部５０はハウジング１０の外側面１２から次第に大きく離間し、面状突部２４に接触することなく右方へ移動する。
【００３９】
そして、やがて軸孔４３が支持軸２１に到達すると、図１１および図１２に示すように、両アーム板４１が互いに向かって弾性復帰し、軸孔４３が支持軸２１に外嵌するとともに、図１２から図１５に示すように、ロック部５０のロック爪５０Ｂがハウジング１０のロック収容凹部３０に嵌まり込み、右方への変位が規制された状態となって、レバー４０のハウジング１０への組付が完了した状態となる。これを組付完了位置という。このとき、突条片４４は側方案内路２７の右方（逃がし部２８よりも前方）に配置される。
【００４０】
相手方コネクタを嵌合させる際には、レバー４０を組付完了位置から支持軸２１を中心として後方に回動させる。すると、図１５から図１７に示すように、支持軸２１の保持突部２５が軸孔４３に対して軸方向から係止し、レバー４０は開きが防止された状態で回動する。また、回動に伴い、レバー４０の突条片４４が逃がし部２８から後方に抜けるとともに、ロック部５０のロック爪５０Ｂが図１７に示す回動軌跡Ｒ２を辿って面状突部２４に弾性的に乗り上げる。
【００４１】
そして、やがてロック部５０が面状突部２４を乗り越えて弾性復帰し、図１８および図１９に示すように、レバー板の外面よりも内方（ハウジング１０側）に配された状態に戻って、ロック爪５０Ｂがロック受け部３１と対向した状態となる。これを嵌合初期位置という。
【００４２】
このように、上述の導入部２６、ガイド部２２および側方案内路２７、および逃がし部２８は、レバー４０をハウジング１０の後方からハウジング１０に対する組付完了位置までガイドするレバーガイド部７０を形成している。
【００４３】
そして、レバー４０を嵌合初期位置に配した状態で、コネクタ嵌合部１３に対して相手方コネクタを前方から外嵌させる。すると、相手方コネクタはハウジング１０の外側面１２とロック爪５０Ｂとの間に進入し、ロック爪５０Ｂをロック受け部３１と対向しない位置まで押し出す。これにより、ロック爪５０Ｂとロック受け部３１との係止が解除解除されて、レバー４０の回動が可能となる。
【００４４】
そして、レバー４０を前方に（すなわち組付完了位置に向かって）回動させると、突条片４４が前方に向かって移動し、逃がし部２８を通過するとともに、ロック爪５０Ｂが回動軌跡Ｒ２を辿って面状突部２４に乗り上げつつロック収容凹部３０に向かう。これとともに、カム溝６０が相手方コネクタのカムピンを支持軸２１に向かって引き寄せる。そして、レバー４０が組付完了位置に戻り、ロック爪５０Ｂがロック収容凹部３０内に戻って、ハウジング１０と相手方コネクタとの嵌合が完了し、組付完了位置と同じ位置に配される。これを嵌合位置という。嵌合位置においては、突条片４４は逃がし部２８よりも前方に位置している。
【００４５】
なお、レバー４０を嵌合初期位置に配した後、相手方コネクタを外嵌させない状態で組付完了位置に向かって回動させようとすると、ロック爪５０Ｂが回動軌跡Ｒ２に直交して配されたロック受け部３１に係止するので、レバー４０はそれ以上の回動が規制された回動規制状態となる。すなわち、レバー４０は、ロック部５０により嵌合初期位置に保持される。
【００４６】
また、これにもかかわらずレバー４０をさらに組付完了位置に向かって回動させようとすると、ロック部５０の撓み片５０Ａがアーム板４１の板面方向にロックカバー部５２に向かって撓み、図２０および図２１に示すように、アーム板４１の内方に相対的に入り込む。すなわち、ロックカバー部５２の天井部５２Ａによって覆われた状態となる。これにより、ロック部５０がレバー４０を無理に回動させる力に屈してハウジング１０に向かう方向とは逆の方向に跳ね上がり、ロック爪５０Ｂとロック受け部３１との係止が不用意に解除されてしまうことが抑制される。
【００４７】
このような構成によると、レバー４０が門形をなしているから、複数の電線を回り込むようにしてレバー４０をハウジング１０の後方に配置しておき、レバー４０をハウジング１０に向けて前方へ移動させると、突条片４４が導入部２６を通って前側のレール２２Ａに突き当たることで前方への移動が停止する。次に、突条片４４を前側のレール２２Ａに沿って側方へ（ガイド部２２の一端側から他端側に向けて）移動させることによりレバー４０を組付完了位置（すなわち嵌合位置）に組み付けることができる。この後、レバー４０を嵌合位置から嵌合初期位置へ回動させると、突条片４４が逃がし部２８を通ってハウジング１０の後方へ回動することになる。
【００４８】
したがって、ハウジング１０の側方にレバー４０を配置するためのスペースを十分に確保できない場合でも、電線を避けつつハウジング１０の後方からレバー４０の組付動作を案内することができる。
【００４９】
また、ハウジング１０の後方からレバー４０を組み付ける際に、ロック爪５０Ｂが後側のレール２２Ｂに干渉することなく、逃がし部２８を通過することになる。したがって、ロック爪５０Ｂが変形したり削られたりすることを回避できる。
【００５０】
また、ロック爪５０Ｂが逃がし部２８を通過した後、前側のレール２２Ａに干渉することなく、挿通部２９を通過することになる。したがって、ロック爪５０Ｂが変形したり削られたりすることをさらに回避できる。
【００５１】
＜変形例１＞
次に、本明細書に開示された技術に係る変形例を図２２によって説明する。なお、上記実施形態と対応する構成については、実施形態１の符号に１００を足した符号を用いるものとする。実施形態１と同じ構成、作用、および効果についてはその説明を省略するものとし、実施形態１と同じ構成については同一の符号を用いるものとする。
【００５２】
上記実施形態においてはアーム板４１に形成されたスリット４９の上端を、スリット４９の幅と直径を同じくする半円形状としているのに対し、本変形例においては、図２２におけるスリット１４９の上端をスリット１４９の幅よりも直径の大きい円弧形状とすることで、ロック部１５０の基端をくびれた形状としている。これにより、レバー４０を嵌合初期位置に配した後、相手方コネクタを外嵌させない状態で嵌合初期位置から組付完了位置に向かって無理に回動させたときにロック部１５０がアーム板１４１の板面方向に撓み易くなって、容易にアーム板１４１の下方に入り込むことができる。したがって、ロック部１５０とロック受け部３１との係止状態を確実に維持することができる。
【００５３】
＜変形例２＞
次に、本明細書に開示された技術に係る変形例を図２３によって説明する。なお、上記実施形態と対応する構成については、実施形態１の符号に２００を足した符号を用いるものとする。実施形態１と同じ構成、作用、および効果についてはその説明を省略するものとし、実施形態１と同じ構成については同一の符号を用いるものとする。
【００５４】
上記実施形態のハウジング１０は単体であり、ハウジング１０の各外側面１２にレバーガイド部７０を設けた構成としているのに対し、本変形例のハウジング２１０は、第一ハウジング２１０Ａと第二ハウジング２１０Ｂとを備えている。第一ハウジング２１０Ａの各外側面２１２Ａには、導入部２２６、前側レールの一部２２２Ａ，後側レール２２２Ｂの一部、および側方案内路２２７の一部が設けられている。第二ハウジング２１０Ｂの各外側面２１２Ｂには、前側レールの一部２２２Ａ，後側レール２２２Ｂの一部、側方案内路２２７の一部、および逃がし部２２８が設けられている。
【００５５】
そして、これら両ハウジング２１０Ａ、２１０Ｂが、各外側面２１２Ａ，２１２Ｂが左右に並んで互いに面一になるように組み付けられることで、図２３に示すように、実施形態１のレバーガイド部７０と実質的に同様のレバーガイド部２７０が形成されている。すなわち、レバーガイド部２７０は、第一ハウジング２１０Ａの外側面２１２Ａから第二ハウジング２１０Ｂの外側面２１２Ｂに亘って設けられている。
【００５６】
＜他の実施形態＞
本明細書に開示された技術は上記記述及び図面によって説明した実施形態に限定されるものではなく、例えば次のような形態で実施することが可能である。
【００５７】
（１）上記実施形態においては、傾斜受け面４５をアーム板４１の側端に設け、傾斜面２１Ａを支持軸２１の突出端のうち左右方向における中央部分に設けているが、傾斜受け面および傾斜面の設ける場所はこれに限らず、例えば傾斜受け面をアーム板の内面側（他方のアーム板との対向面側）に設けてもよく、また支持軸の突出端全体を傾斜面としてもよい。
【００５８】
（２）上記実施形態においては、レバー４０は被ガイド部（突条片４４）がガイド部２２により案内されて側方案内路２７を進む途中で乗り上げ初期位置に到達するが、被ガイド部が側方案内路の終端に到達したとき、または、その後も慣性でそのまま同じ方向に進むことで、乗り上げ初期位置に到達する構成としてもよい。
【００５９】
（３）上記実施形態においては、ハウジング１０にガイド部２２を設け、レバー４０に被ガイド部４４を設けたが、例えばガイド部２２および被ガイド部４４を省略してもよい。また、組付初期位置と乗り上げ初期位置は必ずしも異なる位置である必要はなく、組付初期位置と乗り上げ初期位置とを同じ位置とする（すなわち、組付初期位置において既にレバーの傾斜受け面と支持軸の傾斜面とが互いに面接触している）構成としてもよい。
【００６０】
（４）上記実施形態においては、アーム板４１に、操作部４２と、被ガイド部４４と、軸孔４３とが並べて配されているが、被ガイド部４４は操作部４２および軸孔４３と並んで配されていなくてもよい。例えば、操作部４２および軸孔４３よりも前方にずらした位置に配し、これに対応してハウジング１０のガイド部２２も前方にずらした位置に配した構成としてもよい。要は、操作部と軸孔との並び方向と、被ガイド部がガイド部により案内される方向とが、実質的に同じであればよい。
【００６１】
（５）上記実施形態においては、ガイド部として一対のレール２２を設け、被ガイド部として突条片４４を設けているが、ガイド部および被ガイド部の形状はこれに限らず、例えば、ガイド部として、前側レール２２Ａと後側レール２２Ｂのうち前側レールの前方に位置する部分とを各突出端において連結し両側方は開口した形状の半筒体を設けてもよいし、被ガイド部を、円柱形状のピンまたはその他任意の形状の突出体を設けてもよい。
【００６２】
（６）上記実施形態においては、ガイド部として前後一対のレール２２Ａ、２２Ｂを設け、被ガイド部４４として１条の突条片４４を設けているが、ガイド部および被ガイド部の構成はこれに限らない。例えば、ガイド部として前後一対のレールを設けるとともに、被ガイド部として互いに平行な一対の突条片を設け、ガイド部の両レールと被ガイド部の両突条片とを互い違いに配した状態で相互に案内する構成としてもよい。
【００６３】
（７）上記実施形態においては、導入部２６の側方には閉鎖突部２３が設けられ、導入部２６に配された突条片４４の側方（電線の延出方向と直交する方向）への変位が規制されているが、閉鎖突部はなくてもよい。
【００６４】
（８）上記実施形態においては、レバー４０がハウジングに対して組付初期位置に配される際には、ロック爪５０Ｂは逃がし部２８および挿通部２９の両方を通過する構成としているが、前側レールがロック爪に干渉しない場合には、挿通部は設けなくてもよい。
【００６５】
（９）上記実施形態においては、レバー４０には嵌合初期位置に保持されるためのロック部５０が設けられているが、ロック部はなくてもよい。
【００６６】
（１０）上記実施形態においては、後側レール２２Ｂの左端側を開口して形成した間隙を導入部２６としているが、例えば、導入部において、後側レール２２Ｂの左端に隣接して、突条片４４が僅かに当接可能な程度の高さの突条形状をなす当接レールを開口内に突設してもよい。これにより、例えばレバーを組付初期位置に配置する際、突条片が当接レールを乗り越える際の手応えにより、レバーが正しく組付初期位置に配置されたことを確認することができる。また同様に、逃がし部において、後側レール２２Ｂの右端側に逃がし部として形成された開口内に、突条片が僅かに当接する程度の高さであり、かつロック爪には当接しない突条形状をなす逃がしレールを突設してもよい。これにより、レバーが組付完了位置に配置された状態において突条部に僅かに当接し後方への変位を仮規制するから、レバーが僅かな力で不用意に後方に回動することを抑制することができる。
【符号の説明】
【００６７】
１０，２１０：ハウジング
４０：レバー
４１，１４１：アーム板
４１Ａ：対向面
４４：突条片（被ガイド部）
７０，２７０：レバーガイド部
２２：ガイド部（前後一対のレール）
２６：導入部
２８：逃がし部
２９：挿通部
５０：ロック部
５０Ａ：撓み片
５０Ｂ：ロック爪
【図１】
2019021497.tif 000003
【図２】
2019021497.tif 000004
【図３】
2019021497.tif 000005
【図４】
2019021497.tif 000006
【図５】
2019021497.tif 000007
【図６】
2019021497.tif 000008
【図７】
2019021497.tif 000009
【図８】
2019021497.tif 000010
【図９】
2019021497.tif 000011
【図１０】
2019021497.tif 000012
【図１１】
2019021497.tif 000013
【図１２】
2019021497.tif 000014
【図１３】
2019021497.tif 000015
【図１４】
2019021497.tif 000016
【図１５】
2019021497.tif 000017
【図１６】
2019021497.tif 000018
【図１７】
2019021497.tif 000019
【図１８】
2019021497.tif 000020
【図１９】
2019021497.tif 000021
【図２０】
2019021497.tif 000022
【図２１】
2019021497.tif 000023
【図２２】
2019021497.tif 000024
【図２３】
2019021497.tif 000025